Podtech/llm-jp-corpus-v4-ja_patent huggingface dataset:
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
ネットワークを介して送信局によって送信された少なくとも１つのコンテンツを処理するための受信器であって、前記ネットワークは前記コンテンツを伝送するように構成された伝送チャネルを含むものである受信器において、前記受信器は、
所謂供給イベントが発生した場合に、少なくとも１つの所謂プログラム伝送チャネルとの接続を生成する接続手段を含み、前記プログラム伝送チャネルは前記送信局から来るデータの連続的なストリームを含むコンテンツを前記送信局から前記受信器に伝送するものであり、前記データは前記受信器を制御するためのループで符号化された少なくとも１つのソフトウェアプログラムを含み、前記受信器は更に、
前記ソフトウェアプログラムを復号化するためにデータの連続的なストリームを復号化する手段と、
前記ソフトウェアプログラムを保存するための少なくとも１つの揮発性メモリを含む記憶手段と、
不揮発性メモリに保存された所謂供給プログラムによって制御される、前記接続手段手段、前記復号化手段及び前記記憶手段を制御する手段と、
を含むことを特徴とする受信器。
【請求項２】
前記少なくも１つのコンテンツはビデオ及び／又はオーディオデータを含むコンテンツであり、前記受信器は前記データを利用するための機器と接続されるためのものであることを特徴とする、請求項１に記載の受信器。
【請求項３】
前記受信器は、前記ネットワークによって前記受信器に送信されるデータ中に受信された条件付きアクセス情報を管理するための手段をも含み、前記条件付きアクセス情報は、前記プログラム伝送チャネルにおいて伝送されるソフトウェアプログラムを含む少なくとも１つのコンテンツについて復号化手段の動作をイネーブルにする又はイネーブルにしないために前記制御手段に作用することを特徴とする、請求項１又は２に記載の受信器。
【請求項４】
前記受信器に存在する不揮発性メモリが単に前記供給プログラムを含むものであり、ダウンロードされた前記ソフトウェアプログラムが、前記送信局によって送信されたコンテンツの処理のために前記受信器において必要なアプリケーションソフトウェアを含むことを特徴とする、請求項１乃至３のいずれか一項に記載の受信器。
【請求項５】
少なくとも１つのコンテンツを、前記コンテンツを処理するための少なくとも１つの受信器に送信する送信局であって、前記コンテンツを伝送するように構成された伝送チャネルを含むネットワークを利用する送信局において、
前記受信器を制御するためのソフトウェアプログラムを含むコンテンツを符号化する手段と、
データの連続的なストリームのような所謂プログラム伝送チャネルにループで前記符号化されたソフトウェアプログラムを送信する手段と、
を有する送信局。
【請求項６】
前記送信局は、ソフトウェアプログラムを含む少なくとも１つのコンテンツへの少なくとも１つの受信器のアクセスを管理するためのソフトウェアプログラムマネージャをも含み、前記マネージャは、前記ネットワークによって前記受信器に送信されるデータに条件付きアクセス情報を挿入し、前記条件付きアクセス情報は、前記受信器中の制御手段に作用し前記ソフトウェアプログラムを含むコンテンツの復号化をイネーブルにする又はイネーブルにしないことを特徴とする、請求項５に記載の送信局。
【請求項７】
少なくとも１つの受信器に少なくとも１つのコンテンツを送信するための局からソフトウェアプログラムをダウンロードするための方法であって、前記受信器は前記コンテンツを伝送するように構成された伝送チャネルを含むネットワークを介して前記コンテンツを処理するためのものである方法において、前記方法は、
所謂供給イベントが発生した場合に、前記受信器を少なくとも１つの所謂プログラム伝送チャネルに接続するステップを有し、前記プログラム伝送チャネルは前記送信局から来るデータの連続的なストリームを含むコンテンツを伝送するものであり、前記データストリームは前記受信器を制御するためのループで符号化された少なくとも１つのソフトウェアプログラムを含み、前記方法は更に、
前記ソフトウェアプログラムを復号化するための前記連続的なデータストリームを復号化するステップと、
前記ソフトウェアプログラムを保存するための少なくとも１つの揮発性メモリに保存するステップと、
を有し、前記接続するステップ、復号化するステップ及び保存するステップは、前記受信器の不揮発性メモリに保存された所謂供給プログラムによって制御される制御手段によって制御されることを特徴とする方法。
【請求項８】
前記ネットワークによって前記受信器に送信されたデータ中に受信された条件付きアクセス情報を管理するステップを含み、前記管理するステップは、前記プログラム伝送チャネルにおいて伝送されたソフトウェアプログラムを含む少なくとも１つのコンテンツについて前記復号化するステップをイネーブルにする又はイネーブルにしないために前記制御手段に作用することを可能とすることを特徴とする、請求項７に記載の方法。
【請求項９】
請求項１乃至４のいずれか一項に記載のデータを伝送するように構成された伝送チャネルを含むネットワークを介して、送信局により送信された少なくとも１つのコンテンツを処理するための受信器にロードされたときに、請求項７又は８のいずれか一項に記載の方法の１以上のステップを前記受信器に実行させる命令のセットを有することを特徴とするコンピュータプログラム。
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
多チャネル信号受信機であって、
複数の放送チャネル番組を表わすディジタル情報を発生する、信号ストリームを複数のデシメートされたサンプルストリームにデマルチプレックスするデマルチプレクサを有する信号源と、
前記複数の放送チャネル番組に対応する信号を同時に提供する、前記信号源に動作上結合された、前記複数のデシメートされたサンプルストリームに異なる遅延を適用するフィルタバンクを含む信号処理手段とを有する、多チャネル信号受信器。
【請求項２】
請求項１に記載の多チャネル信号受信機であって、
前記信号源は、
フィルタリングされたアナログ信号を発生するフィルタリング手段と、
前記フィルタリングされたアナログ信号をディジタル信号へ変換するアナログ・ディジタル変換手段とを含む、多チャネル信号受信器。
【請求項３】
請求項２記載の多チャネル信号受信器であって、
前記信号源は、前記アナログ・ディジタル変換手段から出力される前記ディジタル信号に対するサンプルレート変換操作を行うサンプルレート変換手段を更に有する、多チャネル信号受信器。
【請求項４】
請求項１記載の多チャネル信号受信器であって、
前記信号処理手段は複数の信号処理チャネルを有し、各処理チャネルはベースバンド信号のうちの１つを固有の周波数チャネル内に発生する、多チャネル信号受信器。
【請求項５】
多チャネル信号受信器を制御する方法であって、
複数の放送チャネル番組を表わすディジタル情報を発生する段階と、
前記ディジタル情報を複数のデシメートされたサンプルストリームであってそれぞれ前記ディジタル情報の画像を有するサンプルストリームにデマルチプレックスする段階と、
前記複数の放送チャネル番組に対応する複数のベースバンド信号を同時に発生する段階とを有する、方法。
【請求項６】
請求項５記載の方法であって、
フィルタリングされたアナログ信号を発生する段階と、
前記フィルタリングされたアナログ信号をディジタル信号へ変換する段階と、
前記複数のデシメートされたサンプルストリームに異なる遅延を適用する段階とを更に有する、方法。
【請求項７】
請求項６記載の方法であって、
デマルチプレックスする段階の前に、前記ディジタル信号に対してサンプルレート変換操作を実行する段階を更に有する、方法。
【請求項８】
請求項５記載の方法であって、
前記発生されたベースバンド信号の夫々は、固有の周波数チャネル内に含まれる、方法。
【請求項９】
多チャネル信号受信器であって、
複数の放送チャネル番組を表わすディジタル情報を発生するよう動作可能な、信号ストリームを複数のデシメートされたサンプルストリームにデマルチプレックスするデマルチプレクサを有する信号源と、
前記信号源に結合され、前記複数の放送チャネル番組に対応するベースバンド信号を同時に提供するよう動作可能な、前記複数のデシメートされたサンプルストリームに異なる遅延を適用するよう動作可能なフィルタバンクを含む信号処理回路とを有する、多チャネル信号受信器。
【請求項１０】
請求項９に記載の多チャネル信号受信機であって、
前記信号源は、
フィルタリングされたアナログ信号を発生するよう動作可能なフィルタと、
前記フィルタリングされたアナログ信号をディジタル信号へ変換するよう動作可能なアナログ・ディジタル変換器とを含む、多チャネル信号受信器。
【請求項１１】
請求項１０記載の多チャネル信号受信機であって、
前記信号源は、前記アナログ・ディジタル変換手段から出力される前記ディジタル信号に対してサンプルレート変換操作を行うよう動作可能なサンプルレート変換器を更に有する、多チャネル信号受信器。
【請求項１２】
請求項９記載の多チャネル信号受信器であって、
前記信号処理手段は複数の信号処理チャネルを有し、各処理チャネルはベースバンド信号のうちの１つを固有の周波数チャネル内に発生するよう動作可能である、多チャネル信号受信器。
【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
フェノール系溶媒中に存在するカルボニル系不純物を高沸点誘導体に変換するための方法であって、当該方法が、フェノール系溶媒を、以下の式の層状複水酸化物組成物又はその水和物を含んでなる触媒と触媒有効温度で接触させ、もって高沸点誘導体を含みカルボニル系不純物量の低減したフェノール含有流を生じさせる方法。
ＭIIl-xＭIIIx（ＯＨ）2］（Ａn-）x/n
式中、ＭIIは二価金属カチオンであり、ＭIIIは三価金属カチオンであり、Ａは電荷ｎ−の層間アニオンであり、ｘは０．１２〜０．８である。
【請求項２】
ＭIIがアルカリ土類金属カチオン単独又は他の二価金属カチオンとの組合せから選択される、請求項１記載の方法。
【請求項３】
アルカリ土類金属カチオンがマグネシウムカチオンである、請求項２記載の方法。
【請求項４】
ＭIIIが第IIIA族金属カチオン単独又は他の三価金属カチオンとの組合せから選択される、請求項１乃至請求項３のいずれか１項記載の方法。
【請求項５】
第IIIA金属カチオンがアルミニウムカチオンである、請求項４記載の方法。
【請求項６】
前記アニオンＡがＣＯ32-、ＮＯ3-、ＯＨ-、Ｃｌ-、Ｆ-又はそれらの組合せからなる群から選択される、請求項１乃至請求項５のいずれか１項記載の方法。
【請求項７】
前記アニオンＡがＣＯ32-である、請求項６記載の方法。
【請求項８】
フェノール系溶媒からカルボニル系不純物を分離する方法であって、
請求項１乃至請求項６のいずれか１項記載の方法によってフェノール系溶媒中に存在するカルボニル系不純物を高沸点誘導体に変換する段階、及び
慣用分離法を用いてカルボニル系不純物の高沸点誘導体をフェノール含有流から分離する段階、
を含んでなる方法。
【請求項９】
フェノールの製造方法であって、
クメンを変換してカルボニル系不純物を含んでいるおそれのある粗フェノールを生成する段階、及び
粗フェノールに存在しかねないカルボニル系不純物を、請求項１乃至請求項１４のいずれか１項記載の方法によって高沸点誘導体に変換する段階、
を含んでなる方法。
【請求項１０】
クメンをフェノールに変換する装置であって、当該装置が、
（ａ）クメンを収容する容器、
（ｂ）クメンを収容する容器に連結された第１の反応容器であって、クメンを酸化してクメンヒドロペルオキシド（ＣＨＰ）混合物を生成させる第１の反応容器、
（ｃ）第１反応容器に連結された第２の反応容器であって、ＣＨＰ混合物を分解して粗分解混合物を生成させる第２の反応容器、
（ｄ）第２の反応容器に連結された第３の反応容器であって、粗分解混合物に塩基を添加して、中和粗分解混合物を生成させる第３の反応容器、
（ｅ）中和粗分解混合物が導入されるように連結された分離セクションであって、中和粗分解混合物を複数の流れに分離して、その１つの流れがフェノールを含んでいてカルボニル系不純物を含んでいるおそれのある粗フェノール流（ＣＰＳ）を得る分離セクション、
（ｆ）ＣＰＳが導入されるように連結された温度制御機構、及び
（ｇ）温度制御機構通過後のＣＰＳが導入されるように連結され、精製フェノール含有生成物を生成する触媒床であって、カルボニル系不純物を高沸点誘導体に変換するため請求項１乃至請求項１４のいずれか１項に記載の層状複水酸化物組成物を含む触媒床、
を備える装置。
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
ａ）ｉ）非第三級アルコールのアクリル酸またはメタクリル酸エステルと、
ｉｉ）ペンダントスチレン系ポリマー部分と、を含む少なくとも１つのコポリマーと、
ｂ）ポリアリーレンオキシドポリマーと、
を含有するポリマー混合物を含む、感圧接着剤組成物。
【請求項２】
（ａ）（ｉ）Ａが、非第三級アルコールのアクリル酸またはメタクリル酸エステルモノマーであり、前記アルコールは、約１〜約１４の炭素原子を有し、かつ
（ｉｉ）Ｂが、一般式Ｘ−（Ｙ）n−Ｚ
（式中、
Ｘは、前記Ａモノマーと共重合可能なビニル基であり、
Ｙは、二価連結基であり、ｎは０または１であってよく、
Ｚは、約２，０００から３０，０００の範囲の分子量を有し、かつ共重合条件下で本質的に非反応性である一価スチレン系ポリマー部分である）を有するモノマーである、共重合されたＡおよびＢモノマーと、
（ｂ）少なくとも１つのポリアリーレンオキシドポリマーと、
を含む感圧接着剤組成物。
【請求項３】
感圧接着剤発泡体物品の無溶媒製造方法であって、
ａ）ｉ）１）非第三級アルコールのアクリル酸またはメタクリル酸エステルと、
２）ペンダントスチレン系ポリマー部分と、を含む少なくとも１つのコポリマーと、
ｉｉ）ポリアリーレンオキシドポリマーと、を含有するポリマー組成物を提供する工程と、
ｂ）前記ポリマー組成物が実質的に分解することなく、そのガラス転移温度より高い温度まで前記ポリマー組成物を加熱する工程と、
ｃ）前記ポリマー組成物を混合する工程と、
ｄ）膨張性ポリマーミクロスフィアの活性化温度より低い温度まで前記ポリマー組成物を冷却した後、膨張性ポリマーミクロスフィアを添加する工程と、
を含む方法。
【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
式：
【化１】
2005521713.tif 000001
（ただし、Ａｒ１、Ａｒ２、およびＡｒ３は、それぞれ独立して、フェニル、チエニル、フリル、ピロリル、ピリジニル、またはピリミジニルであり；
Ｒ１、Ｒ２、Ｒ３、Ｒ４、Ｒ５、およびＲ６は、それぞれ独立して、Ｒ、ニトロ、ハロゲン、Ｃ（Ｏ）ＯＲ、Ｃ（Ｏ）ＳＲ、Ｃ（Ｏ）ＮＲＲ’、（ＣＨ２）ｍＯＲ、（ＣＨ２）ｍＳＲ、（ＣＨ２）ｍＮＲＲ’、（ＣＨ２）ｍＣＮ、（ＣＨ２）ｍＣ（Ｏ）ＯＲ、（ＣＨ２）ｍＣＨＯ、（ＣＨ２）ｍＣＨ＝ＮＯＲであるか、または、Ｒ１とＲ２とが一緒になって、Ｒ３とＲ４とが一緒になって、もしくはＲ５とＲ６とが一緒になって、Ｏ（ＣＨ２）ｍＯであり、この際、ＲおよびＲ’は、それぞれ独立して、Ｈもしくは炭素原子数１〜６のアルキルであり；並びに、ｍは、０、１、２、３、４、５、または６であり、および、
ｎは、０、１、２、または３である）
の化合物を含む、血管新生関連疾患を治療するための薬剤組成物。
【請求項２】
Ａｒ１がフェニルである、請求項１に記載の薬剤組成物。
【請求項３】
Ａｒ２がフリルである、請求項２に記載の薬剤組成物。
【請求項４】
Ａｒ２が５’−フリルである、請求項３に記載の薬剤組成物。
【請求項５】
Ａｒ３がフェニルである、請求項４に記載の薬剤組成物。
【請求項６】
Ｒ１、Ｒ２、Ｒ５、およびＲ６がそれぞれＨである、請求項５に記載の薬剤組成物。
【請求項７】
ｎが１である、請求項６に記載の薬剤組成物。
【請求項８】
Ｒ３およびＲ４の一方がフリルの２位で置換される、請求項７に記載の薬剤組成物。
【請求項９】
Ｒ３およびＲ４の一方がＨであり、他方がＣＨ２ＯＨである、請求項８に記載の薬剤組成物。
【請求項１０】
Ａｒ２がフリルである、請求項１に記載の薬剤組成物。
【請求項１１】
Ａｒ２が５’−フリルである、請求項１０に記載の薬剤組成物。
【請求項１２】
Ｒ３およびＲ４の一方がフリルの２位で置換される、請求項１１に記載の薬剤組成物。
【請求項１３】
Ａｒ３がフェニルである、請求項１に記載の薬剤組成物。
【請求項１４】
ｎが１である、請求項１３に記載の薬剤組成物。
【請求項１５】
前記血管新生関連疾患が、心臓血管疾患、慢性炎症、糖尿病、乾癬、子宮内膜症、または脂肪過多症である、請求項１に記載の薬剤組成物。
【請求項１６】
式：
【化２】
2005521713.tif 000002
（ただし、Ａｒ１、Ａｒ２、およびＡｒ３は、それぞれ独立して、フェニル、チエニル、フリル、ピロリル、ピリジニル、またはピリミジニルであり；
Ｒ１、Ｒ２、Ｒ３、Ｒ４、Ｒ５、およびＲ６は、それぞれ独立して、Ｒ、ニトロ、ハロゲン、Ｃ（Ｏ）ＯＲ、Ｃ（Ｏ）ＳＲ、Ｃ（Ｏ）ＮＲＲ’、（ＣＨ２）ｍＯＲ、（ＣＨ２）ｍＳＲ、（ＣＨ２）ｍＮＲＲ’、（ＣＨ２）ｍＣＮ、（ＣＨ２）ｍＣ（Ｏ）ＯＲ、（ＣＨ２）ｍＣＨＯ、（ＣＨ２）ｍＣＨ＝ＮＯＲであるか、または、Ｒ１とＲ２とが一緒になって、Ｒ３とＲ４とが一緒になって、もしくはＲ５とＲ６とが一緒になって、Ｏ（ＣＨ２）ｍＯであり、この際、ＲおよびＲ’は、それぞれ独立して、Ｈもしくは炭素原子数１〜６のアルキルであり；並びに、ｍは、０、１、２、３、４、５、または６であり、および、
ｎは、０、１、２、または３である）
の化合物を含む、癌を治療するための薬剤組成物。
【請求項１７】
Ａｒ１がフェニルである、請求項１６に記載の薬剤組成物。
【請求項１８】
Ａｒ２がフリルである、請求項１７に記載の薬剤組成物。
【請求項１９】
Ａｒ２が５’−フリルである、請求項１８に記載の薬剤組成物。
【請求項２０】
Ａｒ３がフェニルである、請求項１９に記載の薬剤組成物。
【請求項２１】
Ｒ１、Ｒ２、Ｒ５、およびＲ６がそれぞれＨである、請求項２０に記載の薬剤組成物。
【請求項２２】
ｎが１である、請求項２１に記載の薬剤組成物。
【請求項２３】
Ｒ３およびＲ４の一方がフリルの２位で置換される、請求項２２に記載の薬剤組成物。
【請求項２４】
Ｒ３およびＲ４の一方がＨであり、他方がＣＨ２ＯＨである、請求項２３に記載の薬剤組成物。
【請求項２５】
Ａｒ２がフリルである、請求項１６に記載の薬剤組成物。
【請求項２６】
Ａｒ２が５’−フリルである、請求項２５に記載の薬剤組成物。
【請求項２７】
Ｒ３およびＲ４の一方がフリルの２位で置換される、請求項２６に記載の薬剤組成物。
【請求項２８】
Ａｒ３がフェニルである、請求項１６に記載の薬剤組成物。
【請求項２９】
ｎが１である、請求項２８に記載の薬剤組成物。
【請求項３０】
前記癌が肺癌である、請求項１６に記載の薬剤組成物。
【請求項３１】
Ａｒ１がフェニルである、請求項３０に記載の薬剤組成物。
【請求項３２】
Ａｒ２がフリルである、請求項３１に記載の薬剤組成物。
【請求項３３】
Ａｒ２が５’−フリルである、請求項３２に記載の薬剤組成物。
【請求項３４】
Ａｒ３がフェニルである、請求項３３に記載の薬剤組成物。
【請求項３５】
Ｒ１、Ｒ２、Ｒ５、およびＲ６がそれぞれＨである、請求項３４に記載の薬剤組成物。
【請求項３６】
ｎが１である、請求項３５に記載の薬剤組成物。
【請求項３７】
Ｒ３およびＲ４の一方がフリルの２位で置換される、請求項３６に記載の薬剤組成物。
【請求項３８】
Ｒ３およびＲ４の一方がＨであり、他方がＣＨ２ＯＨである、請求項３７に記載の薬剤組成物。
【請求項３９】
Ａｒ２がフリルである、請求項３０に記載の薬剤組成物。
【請求項４０】
Ａｒ２が５’−フリルである、請求項３９に記載の薬剤組成物。
【請求項４１】
Ｒ３およびＲ４の一方がフリルの２位で置換される、請求項４０に記載の薬剤組成物。
【請求項４２】
Ａｒ３がフェニルである、請求項３０に記載の薬剤組成物。
【請求項４３】
ｎが１である、請求項４２に記載の薬剤組成物。
【手続補正書】
【提出日】平成18年2月15日(2006.2.15)
【手続補正１】
【補正対象書類名】特許請求の範囲
【補正対象項目名】全文
【補正方法】変更
【補正の内容】
【特許請求の範囲】
【請求項１】
ブタジエンまたはブタジエンを含有する炭化水素混合物を飽和脂肪族モノカルボン酸と反応させることからなるブタジエンからのブチルエステルの作成方法において、触媒は酸化レニウム（ＶＩＩ）または１分子当たり少なくとも２個のスルホン酸基を有する有機スルホン酸からなり、有機スルホン酸における炭素原子の個数とスルホン酸基の個数との比は１：１〜１：０．１５の範囲であるブチルエステルの作成方法。
【請求項２】
反応混合物が、全反応混合物の重量に対し０．２〜１０重量％の触媒を含有する請求項１に記載の方法。
【請求項３】
スルホン酸触媒が２〜３０個の炭素原子を有する請求項１に記載の方法。
【請求項４】
飽和脂肪族モノカルボン酸が２〜６個の炭素原子を有する請求項１に記載の方法。
【請求項５】
ブタジエンとカルボン酸反応体との相対モル比が５：１〜１：５０の範囲である請求項１に記載の方法。
【請求項６】
反応温度が３０〜１２０℃の範囲であり、自生圧力下で行う請求項１に記載の方法。
【請求項７】
スルホン酸触媒が１，２−エタンジスルホン酸、ベンゼン−１，２−ジスルホン酸、ベンゼン−１，３−ジスルホン酸、ベンゼン−１，４−ジスルホン酸、ナフタレン−１，５−ジスルホン酸、ナフタレン−２，６−ジスルホン酸、ナフタレン−２，７−ジスルホン酸、４−クロルベンゼン−１，３−ジスルホン酸、４−フルオロベンゼン−１，３−ジスルホン酸、４−ブロモベンゼン−１，３−ジスルホン酸、４，６−ジクロルベンゼン−１，３−ジスルホン酸、２，５−ジクロルベンゼン−１，３−ジスルホン酸、２，４，６−トリクロルベンゼン−１，３−ジスルホン酸、３−クロルナフタレン−２，６−ジスルホン酸、ベンゼントリスルホン酸およびナフタレントリスルホン酸から選択される請求項１に記載の方法。
【請求項８】
重合阻止剤を反応に含ませる請求項１に記載の方法。
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
有効量の非抗菌性テトラサイクリンまたはその製薬上許容し得る塩を含有する、カルモジュリン外毒素、メタロプロテイナーゼ外毒素またはその両方を産生する細菌に関連する症状を獲得するリスクのある哺乳類を保護するための医薬組成物。
【請求項２】
前記細菌が、炭疽菌、ウエルシュ菌、百日せき菌、バクテリオデス フラギリスまたは緑膿菌からなる群から選ばれる、請求項１記載の医薬組成物。
【請求項３】
前記細菌が炭疽菌である、請求項１記載の医薬組成物。
【請求項４】
前記テトラサイクリンが、CMT-1、CMT-2、CMT-4、CMT-6、CMT-7もしくはCMT-9、またはこれらの製薬上許容し得る塩からなる群から選ばれる、請求項１記載の医薬組成物。
【請求項５】
前記テトラサイクリンが、CMT-3もしくはそのアナログ類、またはこれらの製薬上許容し得る塩からなる群から選ばれる、請求項１記載の医薬組成物。
【請求項６】
前記テトラサイクリンが、CMT-8もしくはそのアナログ類、またはこれらの製薬上許容し得る塩からなる群から選ばれる、請求項１記載の医薬組成物。
【請求項７】
前記テトラサイクリンが、CMT-10もしくはそのアナログ類、またはこれらの製薬上許容し得る塩からなる群から選ばれる、請求項１記載の医薬組成物。
【請求項８】
有効量の非抗菌性テトラサイクリンまたはその製薬上許容し得る塩を含有する、カルモジュリン外毒素、メタロプロテイナーゼ外毒素またはその両方を産生する細菌に関連する症状を有する哺乳類の治療用医薬組成物。
【請求項９】
前記細菌が、炭疽菌、ウエルシュ菌、百日せき菌、バクテリオデス フラギリスまたは緑膿菌からなる群から選ばれる、請求項８記載の医薬組成物。
【請求項１０】
前記細菌が炭疽菌である、請求項８記載の医薬組成物。
【請求項１１】
前記テトラサイクリンが、CMT-1、CMT-2、CMT-4、CMT-6、CMT-7もしくはCMT-9、またはこれらの製薬上許容し得る塩からなる群から選ばれる、請求項８記載の医薬組成物。
【請求項１２】
前記テトラサイクリンが、CMT-3もしくはそのアナログ類、またはこれらの製薬上許容し得る塩からなる群から選ばれる、請求項８記載の医薬組成物。
【請求項１３】
前記テトラサイクリンが、CMT-8もしくはそのアナログ類、またはこれらの製薬上許容し得る塩からなる群から選ばれる、請求項８記載の医薬組成物。
【請求項１４】
前記テトラサイクリンが、CMT-10もしくはそのアナログ類、またはこれらの製薬上許容し得る塩からなる群から選ばれる、請求項８記載の医薬組成物。
【請求項１５】
抗生剤を投与することさらに含む、請求項８記載の医薬組成物。
【請求項１６】
前記抗生剤がシプロフロキサシンである、請求項１５記載の医薬組成物。
【請求項１７】
前記抗生剤がドキシサイクリンである、請求項１５記載の医薬組成物。
【請求項１８】
有効な非抗菌量の抗菌性テトラサイクリンまたはその製薬上許容し得る塩を含有する、カルモジュリンもしくはメタロプロテイナーゼ外毒素、またはその両方を産生する細菌に関連する症状を獲得するリスクのある哺乳類を保護するための医薬組成物。
【請求項１９】
前記細菌が、炭疽菌、ウエルシュ菌、百日せき菌、バクテリオデス フラギリスまたは緑膿菌からなる群から選ばれる、請求項１８記載の医薬組成物。
【請求項２０】
前記細菌が炭疽菌である、請求項１８記載の医薬組成物。
【請求項２１】
有効な非抗菌量の抗菌性テトラサイクリンまたはその製薬上許容し得る塩を含有する、カルモジュリンもしくはメタロプロテイナーゼ外毒素、またはその両方を産生する細菌に関連する症状を有する哺乳類の治療用医薬組成物。
【請求項２２】
前記細菌が、炭疽菌、ウエルシュ菌、百日せき菌、バクテリオデス フラギリスまたは緑膿菌からなる群から選ばれる、請求項２１記載の医薬組成物。
【請求項２３】
前記細菌が炭疽菌である、請求項２１記載の医薬組成物。
【請求項２４】
抗生剤をさらに含む、請求項２１記載の医薬組成物。
【請求項２５】
前記抗生剤がシプロフロキサシンである、請求項２４記載の医薬組成物。
【請求項２６】
前記抗生剤がドキシサイクリンである、請求項２４記載の医薬組成物。
【請求項２７】
有効量の非抗菌性テトラサイクリンまたはその製薬上許容し得る塩を含有する、カルモジュリン外毒素、メタロプロテイナーゼ外毒素またはその両方を産生する細菌に対するワクチンを受けているまたは受ける予定である哺乳類を保護するための医薬組成物。
【請求項２８】
前記細菌が、炭疽菌、ウエルシュ菌、百日せき菌、バクテリオデス フラギリスまたは緑膿菌からなる群から選ばれる、請求項２７記載の医薬組成物。
【請求項２９】
前記細菌が炭疽菌である、請求項２７記載の医薬組成物。
【請求項３０】
前記テトラサイクリンが、CMT-1、CMT-2、CMT-4、CMT-6、CMT-7もしくはCMT-9、またはこれらの製薬上許容し得る塩からなる群から選ばれる、請求項２７記載の医薬組成物。
【請求項３１】
前記テトラサイクリンが、CMT-3もしくはそのアナログ類、またはこれらの製薬上許容し得る塩からなる群から選ばれる、請求項２７記載の医薬組成物。
【請求項３２】
前記テトラサイクリンが、CMT-8もしくはそのアナログ類、またはこれらの製薬上許容し得る塩からなる群から選ばれる、請求項２７記載の医薬組成物。
【請求項３３】
前記テトラサイクリンが、CMT-10もしくはそのアナログ類、またはこれらの製薬上許容し得る塩からなる群から選ばれる、請求項２７記載の医薬組成物。
【請求項３４】
有効量の非抗菌量の抗菌性テトラサイクリンまたはその製薬上許容し得る塩を含有する、カルモジュリン外毒素、メタロプロテイナーゼ外毒素またはその両方を産生する細菌に対するワクチンを受けているまたは受ける予定である哺乳類を保護するための医薬組成物。
【請求項３５】
前記細菌が、炭疽菌、ウエルシュ菌、百日せき菌、バクテリオデス フラギリスまたは緑膿菌からなる群から選ばれる、請求項３４記載の医薬組成物。
【請求項３６】
前記細菌が炭疽菌である、請求項３４記載の医薬組成物。
【手続補正書】
【提出日】平成17年5月27日(2005.5.27)
【手続補正１】
【補正対象書類名】特許請求の範囲
【補正対象項目名】請求項２１
【補正方法】変更
【補正の内容】
【請求項２１】
エチレン（コ）ポリマーがプラストマーまたはエラストマーである請求項１〜２０のいずれかに記載の組成物。
【手続補正２】
【補正対象書類名】特許請求の範囲
【補正対象項目名】請求項２２
【補正方法】変更
【補正の内容】
【請求項２２】
（コ）ポリマー全体重量の少なくとも約４０％〜約５０重量％がプラストマーであり、残りがエラストマーである請求項２１に記載の組成物。
【手続補正３】
【補正対象書類名】特許請求の範囲
【補正対象項目名】請求項２３
【補正方法】変更
【補正の内容】
【請求項２３】
少なくとも約６０重量％がプラストマーであり、残りがエラストマーである請求項２１または請求項２２に記載の組成物。
【手続補正４】
【補正対象書類名】特許請求の範囲
【補正対象項目名】請求項３４
【補正方法】変更
【補正の内容】
【請求項３４】
ナノフィラーが有機インターカラント（intercalant）によりインターカレートされる請求項１〜３３のいずれかに記載の組成物。
【手続補正５】
【補正対象書類名】特許請求の範囲
【補正対象項目名】請求項３５
【補正方法】変更
【補正の内容】
【請求項３５】
有機インターカラントがイオン性または極性化合物（１または複数）である請求項３４に記載の組成物。
【手続補正６】
【補正対象書類名】特許請求の範囲
【補正対象項目名】請求項４６
【補正方法】変更
【補正の内容】
【請求項４６】
有機インターカラントの量がナノフィラーの約４０重量％以下である請求項３５〜４５のいずれかに記載の組成物。
【手続補正７】
【補正対象書類名】特許請求の範囲
【補正対象項目名】請求項６６
【補正方法】変更
【補正の内容】
【請求項６６】
組成物および／又はエチレン（コ）ポリマーが、シラン架橋されるか、架橋触媒を添加することにより架橋されるか、または放射線架橋される、請求項１〜６５のいずれかに記載の組成物。
【手続補正８】
【補正対象書類名】明細書
【補正対象項目名】０００８
【補正方法】変更
【補正の内容】
【０００８】
従って、これらの組成物から製造される製品が、特に周囲を超える温度で、および／又は化学薬品、溶媒、油、燃料への暴露または短絡などの困難な環境においてうまくいくように、改善された性質を有する熱可塑性ポリマーを含有するナノフィラー組成物またはナノコンポジットに対する必要性が存在する。
【手続補正９】
【補正対象書類名】明細書
【補正対象項目名】００２２
【補正方法】変更
【補正の内容】
【００２２】
好ましくは、プラストマー系架橋性組成物に対して、少なくとも約４０〜約５０重量％、更に好ましくは少なくとも約６０重量％はプラストマーであり、残りがエラストマーである。プラストマーの例には、ＨＤＰＥ、ＭＤＰＥ、ＬＤＰＥ、ＬＬＤＰＥまたはＶＬＤＰＥなどのポリエチレン；約３０％以下の酢酸ビニルを有するＥＶＡ；約２５％以下のプロピレンを有するＥＰＭ；および約０．８８６以下のＳ．Ｇ．を有するエチレン・オクタンコポリマーが挙げられる。エラストマーには、少なくとも約０．８８７のＳ．Ｇ．を有するエチレン・オクタンコポリマー；ＵＬＤＰＥ；約３０％を超えるプロピレンコモノマーを有するターポリマーなどのエチレン・プロピレンコポリマー；約３８％を超える酢酸ビニルを有するエチレン・酢酸ビニルコポリマー；ＥＰＤＭ；ＥＰＭ；およびＥＰＲが挙げられる。好ましくは、可塑性エラストマー系またはエラストマー系架橋性組成物に対して、エラストマー成分は、全体組成物の少なくとも約４０重量％、好ましくは約５０重量％、更に好ましくは少なくとも約６０重量％である。本発明の最も好ましい態様は、全体組成物の少なくとも約４０重量％のプラストマー系化合物を有する熱可塑性架橋可能組成物である。
【手続補正１０】
【補正対象書類名】明細書
【補正対象項目名】００２６
【補正方法】変更
【補正の内容】
【００２６】
インターカレートされたナノフィラーは、上述のイオン性または極性化合物から選択される有機インターカラントによる有機修飾によりインターカレートすることができるかまたはインターカレートされた、モンモリロナイト、ベントナイト、スメクタイト、およびフィロケイ酸塩などの合成品または天然物のいずれかである層化構造鉱物性ナノフィラーまたはクレーであることが可能であり、商品名クロイジット（Cloisite）（サザーン・クレー・プロダクツ（Southern Clay Productｓ））、ナノフィル（Nanofil）（サッドケミエ（Sudchemie））、チキソゲル（Tixogel）（サッドケミエ）およびクニピア（Kunipia）で市販されているものでもよい。
【手続補正１１】
【補正対象書類名】明細書
【補正対象項目名】００２７
【補正方法】変更
【補正の内容】
【００２７】
有機インターカラントは、ナノフィラーの約４０重量％以下の量で存在することが可能である。説明および実施例における重量は、有機インターカラントを含んで供給されるナノフィラーを指す。
【手続補正１２】
【補正対象書類名】明細書
【補正対象項目名】００２８
【補正方法】変更
【補正の内容】
【００２８】
一部の例において、用語「インターカレーション（インターカレート）」は、有機インターカラントによりインターカレートされて、それらの板状体間の距離が数ナノメートル分増加するナノフィラーが、（コ）ポリマー（１または複数）と混合され、（コ）ポリマー分子がナノ板状体層間に入り込み、こうして、それらが混合工程において層剥離されるように、それらを更にインターカレートさせることを指すように意図される状況を含むことは、留意されるべきである。このタイプの更なるインターカレートは、本明細書において、「層剥離」および／又は「更なるインターカレート」／層剥離／剥離と呼ばれる。層剥離および剥離のステップは極めて重要である。このステップの効果は、組成物の機械的および熱機械的および化学的および光学的およびＸ線回折特性における変化および改善に見ることができる。
【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
ポリカーボネートの製造方法であって、（Ａ）遊離ヒドロキシル基含有ポリカーボネートを製造し、該遊離ヒドロキシル基含有ポリカーボネート（Ａ）を、（Ｂ）活性化又は非活性化対称芳香族炭酸ジエステルと（Ｃ）置換又は非置換芳香族ジヒドロキシ化合物、ジオール又は二酸との制御された化学量論的混合物と反応させる工程を含む方法。
【請求項２】
さらに、活性化又は非活性化対称芳香族炭酸ジエステル（Ｂ）と置換又は非置換芳香族ジヒドロキシ化合物、ジオール又は二酸（Ｃ）とを化学量論的モル比（Ｂ／Ｃ）０．２５〜３．０で組み合わせて制御された混合物を形成する工程を含む、請求項１記載の方法。
【請求項３】
前記活性化又は非活性化対称芳香族炭酸ジエステル（Ｂ）が次式の化合物を含む、請求項１記載の方法。
【化１】
2005521766.tif 000001
式中、Ｒ2は電気陰性置換基である。
【請求項４】
（Ｂ）活性化又は非活性化対称芳香族炭酸ジエステルと（Ｃ）置換又は非置換芳香族ジヒドロキシ化合物、ジオール又は二酸との混合物を含む、共重合剤。
【請求項５】
コポリカーボネートの製造方法であって、
（ｉ）芳香族ジヒドロキシ化合物と（ｉｉ）炭酸ジエステルとを反応させて（Ａ）遊離ヒドロキシル基含有ポリカーボネートを製造し、
該遊離ヒドロキシル基含有ポリカーボネート（Ａ）を、（Ｂ）活性化又は非活性化対称芳香族炭酸ジエステルと（Ｃ）置換又は非置換芳香族ジヒドロキシ化合物、ジオール又は二酸との混合物と、遊離ヒドロキシル基含有ポリカーボネート（Ａ）の合成反応に用いた芳香族ジヒドロキシ化合物（ｉ）に対する置換又は非置換芳香族ジヒドロキシ化合物、ジオール又は二酸（Ｃ）の化学量論モル比０．０１〜０．７５で、反応させる工程を含む方法。
【請求項６】
コポリカーボネートの製造方法であって、当該方法が、
（ｉ）芳香族ジヒドロキシ化合物と（ｉｉ）炭酸ジエステルとを反応させて（Ａ）遊離ヒドロキシル基含有ポリカーボネートを製造し、
該遊離ヒドロキシル基含有ポリカーボネート（Ａ）を（Ｂ）活性化又は非活性化対称芳香族炭酸ジエステルと（Ｃ）置換又は非置換芳香族ジヒドロキシ化合物、ジオール又は二酸との混合物と反応させる工程を含み、
ポリカーボネート（Ａ）の遊離ヒドロキシル含量を変えることによって成分（Ｂ）と（Ｃ）との混合物との反応におけるポリカーボネート（Ａ）の活性を制御する、方法。
【請求項７】
（Ａ）（ｉ）芳香族ジヒドロキシ部分と（ｉｉ）炭酸ジエステル部分とを含む［ポリカーボネート部分］xと、
（Ｂ）［活性化又は非活性化対称芳香族炭酸ジエステル部分］yと
（Ｃ）［置換又は非置換芳香族ジヒドロキシ化合物、ジオール又は二酸部分］zとを含むコポリマーであって、コポリマーに基づいてｘが２０〜９２モル％、ｙが４〜４０モル％、ｚが４〜４０モル％である、コポリマー。
【請求項８】
コポリカーボネートの製造方法であって、（Ａ）遊離ヒドロキシル基含有ポリカーボネートを製造し、該遊離ヒドロキシル基含有ポリカーボネート（Ａ）を、（Ｂ）活性化又は非活性化対称芳香族炭酸ジエステルと（Ｃ）置換又は非置換芳香族ジヒドロキシ化合物、ジオール又は二酸との混合物と少なくとも第１共重合及び第２共重合段階で順次反応させる工程を含む方法。
【請求項９】
コポリカーボネートの製造システム（４０，６０）であって、
（ｉ）芳香族ジヒドロキシ化合物と（ｉｉ）炭酸ジエステルとを反応させてポリカーボネートを生成する第１反応器反応器（１５８，１６２，１６４）と、
上記ポリカーボネートを（Ｂ）活性化又は非活性化対称芳香族炭酸ジエステルと（Ｃ）置換又は非置換芳香族ジヒドロキシ化合物、ジオール又は二酸の制御された化学量論的混合物と反応させてコポリカーボネートを生成する隣接重合釜反応器（１６８，１７０）と
を備える製造システム（４０，６０）。
【請求項１０】
光記憶媒体の製造方法であって、
（Ａ）遊離ヒドロキシル基含有ポリカーボネートを製造し、
該遊離ヒドロキシル基含有ポリカーボネート（Ａ）を、（Ｂ）活性化又は非活性化対称芳香族炭酸ジエステルと（Ｃ）置換又は非置換芳香族ジヒドロキシ化合物、ジオール又は二酸の制御された化学量論的混合物と反応させてコポリマーを生成し、
コポリマーを記憶媒体としての光学構造に組み込む
工程を含む方法。
【手続補正２】
【補正対象書類名】明細書
【補正対象項目名】０００６
【補正方法】変更
【補正の内容】
【０００６】
代表的な溶融エステル交換プラントは、数個の反応器と重合釜を直列に並べて連続プロセスを採用している。第１のモノマー混合タンクの原料組成を変更した後、操作が安定するまでに数時間を要する。この期間に、劣悪な特性の変動する組成転移材料が多量に生成する。
【特許文献１】米国特許第４３２３６６８号明細書
【特許文献２】米国特許第５５２１２７５号明細書
【特許文献３】米国特許第５５９７８８７号明細書
【特許文献４】米国特許第５６９６２２２号明細書
【特許文献５】米国特許第５８８６１３２号明細書
【特許文献６】米国特許第６０３７４３７号明細書
【特許文献７】米国特許第６２９４６４２号明細書
【特許文献８】米国特許第６３００４５９号明細書
【特許文献９】米国特許第６３０７００６号明細書
【特許文献１０】米国特許第６５００９１４号明細書
【特許文献１１】米国特許第６５２５１６３号明細書
【特許文献１２】欧州特許出願公開第０５９５６０８号明細書
【特許文献１３】欧州特許出願公開第０９８２３４０号明細書
【特許文献１４】欧州特許出願公開第０９７６７７２号明細書
【特許文献１５】欧州特許出願公開第０９８０８６１号明細書
【特許文献１６】欧州特許出願公開第０９８２３４０号明細書
【特許文献１７】特開平６−１５７７３９号公報
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
非照射工程によってポリオレフィンにグラフト化されたポリマーを含有する組成物であって、該ポリオレフィンにグラフト化された該ポリマーは、疎水性ビニルモノマーから生成され、該ポリオレフィンにグラフト化された該ポリマーの重量は、非グラフト化支持体ポリマーの少なくとも２０重量％であり、但し、該ポリオレフィンにグラフト化された該ポリマーは、ポリエチレンにグラフト化されたポリスチレンからなり、該ポリエチレンにグラフト化された該ポリスチレンの重量は、非グラフト化ポリエチレンの少なくとも３０重量％である、組成物。
【請求項２】
請求項１に記載の組成物であって、前記ポリオレフィンにグラフト化された前記ポリマーは、前記非グラフト化ポリオレフィンの少なくとも３５重量％である、組成物。
【請求項３】
請求項１または２に記載の組成物であって、前記疎水性ビニルモノマーは、フリーラジカル重合を受け得、周囲温度で液体である、組成物。
【請求項４】
請求項１〜３のいずれか１項に記載の組成物であって、前記疎水性ビニルモノマーは、置換または非置換スチレン、ビニルベンジルクロリド、ジビニルベンゼン、ブチルアクリレート、およびこれらの混合物からなる群から選択される、組成物。
【請求項５】
請求項１〜４のいずれか１項に記載の組成物であって、前記ポリオレフィンは、エチレンまたは３〜６の炭素原子を有するαオレフィン、フルオロポリマーまたはこれらの混合物を含む、組成物。
【請求項６】
請求項１〜５のいずれか１項に記載の組成物であって、前記ビニルモノマーは、スチレンまたはビニルベンジルクロリドであり、前記ポリオレフィンは、ポリエチレンである、組成物。
【請求項７】
請求項６に記載の組成物であって、さらにジビニルベンゼンを含む、組成物。
【請求項８】
請求項１または６に記載の組成物であって、前記ポリマーは、カチオンを交換し得る１つ以上の酸性の基で置換されるか、またはアニオンを交換し得る１つ以上の塩基性の基で置換される、組成物。
【請求項９】
請求項８に記載の組成物であって、前記酸性の基は、スルホネート、カルボキシレート、ホスホネート、イミノジ酢酸、およびイミノジホスホン酸からなる群から選択される、組成物。
【請求項１０】
請求項８に記載の組成物であって、前記塩基性の基は、置換または非置換アミンからなる群から選択される、組成物。
【請求項１１】
請求項８に記載の組成物であって、前記ポリマーは、ポリエチレンフィルムであり、該ポリマーが、カチオンを交換し得る１つ以上の酸性の基で置換される場合、カチオン透過性膜が形成され、そして該ポリマーが、アニオンを交換し得る１つ以上の塩基性の基で置換される場合、アニオン透過性膜が形成される、組成物。
【請求項１２】
グラフト化された支持体ポリマーを作製するプロセスであって、該プロセスは、以下：
（１）グラフト化されるモノマーと開始剤とを混合し、モノマー−開始剤混合物を形成する工程；
（２）該モノマー−開始剤混合物を水に懸濁し、水性懸濁物を形成する工程；および
（３）該モノマーを重合し、該ポリマーを該支持体ポリマーにグラフト化するのに十分な条件下で、該水性懸濁物を支持体ポリマーと接触させる、工程、
を包含する、プロセス。
【請求項１３】
請求項１２に記載のプロセスであって、前記グラフト化されるモノマーは、疎水性ビニルモノマーであり、該疎水性ビニルモノマーは、フリーラジカル重合を受け得、そして周囲温度で液体である、プロセス。
【請求項１４】
請求項１２に記載のプロセスであって、前記グラフト化されるモノマーは、置換または非置換スチレン、ビニルベンジルクロリド、ジビニルベンゼン、およびブチルアクリレートからなる群から選択される、プロセス。
【請求項１５】
請求項１２〜１４のいずれか１項に記載のプロセスであって、前記開始剤は、有機可溶性フリーラジカル開始剤である、プロセス。
【請求項１６】
請求項１２〜１５のいずれか１項に記載のプロセスであって、前記支持体ポリマーは、エチレンまたは３〜６の炭素原子を有するαオレフィンのポリマー、フルオロポリマーまたはこれらの混合物を含む、プロセス。
【請求項１７】
請求項１２〜１６のいずれか１項に記載のプロセスであって、前記グラフト化されるモノマーは、スチレンまたはビニルベンジルクロリドであり、前記支持体ポリマーは、ポリエチレンである、プロセス。
【請求項１８】
請求項１２〜１７のいずれか１項に記載のプロセスであって、前記支持体ポリマーは、フィルムを含む、プロセス。
【請求項１９】
請求項１２〜１８のいずれか１項に記載のプロセスであって、前記水性懸濁物は、該懸濁物の総重量に基づいて０．５〜１０重量％の前記モノマー−開始剤混合物を含む、プロセス。
【請求項２０】
請求項１２〜１９のいずれか１項に記載のプロセスであって、前記モノマーを前記支持体ポリマーに重合およびグラフト化するのに十分な前記条件は、５０℃〜９０℃の温度で、少なくとも８時間維持する工程を含む、プロセス。
【請求項２１】
請求項１２〜２０のいずれか１項に記載のプロセスであって、前記グラフト化された支持体ポリマーを前記懸濁物から分離する工程をさらに包含する、プロセス。
【請求項２２】
請求項１２〜２１のいずれか１項に記載のプロセスであって、前記支持体ポリマーは、フィルムを含み、そして該プロセスは、前記グラフト化された支持体ポリマーをカチオン透過性膜に転換する工程、または該グラフト化された支持体ポリマーを、四級化によってアニオン透過性膜に転換する工程をさらに包含する、プロセス。
【請求項２３】
請求項２２に記載のプロセスであって、前記グラフト化された支持体ポリマーは、スルホン化によってカチオン透過性膜に転換される、プロセス。
【請求項２４】
請求項２２に記載のプロセスであって、前記グラフト化された支持体ポリマーは、四級化によってアニオン透過性膜に転換される、プロセス。
【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
ヒトの手やその他の皮膚を洗浄するための透明で清澄な均質組成物であって、下記の組成を有する該組成物（この場合、ミドリハッカのビリジス変種植物から得られる精油はリモネン１．５０〜６．５３％、カルボン０．１０７〜４．４２％およびピペリテノン２８．５０〜８０．４５％を含有する）：
（a）ミドリハッカのビリジス変種植物から得られる精油：０．０１〜０．０５％、
（b）メントール酢酸メンチル：０．０５〜０．５％、
（c）エタノール：１〜２５％、
（d）イソプロパノール：５〜５０％、
（e）塩化ベンザルコニウム：０．１〜０．５％および
（f）蒸留水：全容量の残部。
【請求項２】
下記の組成を有する請求項１記載の組成物：
（a）ミドリハッカのビリジス変種植物の精油：０．０２％、
（b）メントール酢酸メンチル：０．１０％、
（c）エタノール：５．００％、
（d）イソプロパノール：３０．００％、
（e）塩化ベンザルコニウム：０．３０％および
（f）蒸留水：全容積の残部。
【請求項３】
床のような表面を洗浄するための透明で清澄な均質組成物であって、下記の組成を有する該組成物（この場合、ミドリハッカのビリジス変種植物から得られる精油はリモネン１．５０〜６．５３％、カルボン０．１０７〜４．４２％およびピペリテノン２８．５０〜８０．４５％を含有する）：
（a）ミドリハッカのビリジス変種植物の精油：０．０１〜０．０５％、
（b）シトロネラ油：０．００５〜０．０５％、
（c）２−エトキシエタノール：０．０５〜１．０％、
（d）塩化ベンザルコニウム：０．０５〜５．０％、
（e）水酸化ナトリウム：０．０００１〜０．２Ｎおよび
（f）ラウリル硫酸ナトリウム：０．００１〜１．０％。
【請求項４】
下記の組成を有する請求項３記載の組成物：
（a）ミドリハッカのビリジス変種植物の精油：０．０２％、
（b）シトロネラ油：０．０１％、
（c）２−エトキシエタノール：０．１％、
（d）塩化ベンザルコニウム：０．１％、
（e）水酸化ナトリウム：０．０００５Ｎおよび
（f）ラウリル硫酸ナトリウム：０．００２５％。
【請求項５】
病原性バクテリアと真菌に対して有効な請求項１記載の手と表面の洗浄消毒用組成物の製法であって、下記の工程を含む該製法（この場合、ミドリハッカのビリジス変種植物から得られる精油はリモネン１．５０〜６．５３％、カルボン０．１０７〜４．４２％およびピペリテノン２８．５０〜８０．４５％を含有する）：（ＨＫ）
（a）ミドリハッカのビリジス変種の精油を０．０１〜０．０５％の濃度で供給し、
（b）メントールと酢酸メンチルの混合物を０．０５〜０．５％の濃度で工程（a）の精油に添加して十分に混合し、
（c）エタノールを５〜２５％の濃度で工程（b）の混合物に添加して十分に混合し、
（d）イソプロピルアルコールを５〜５０％の濃度で工程（c）の混合物に添加し、全混合物を十分に混合し、
（e）蒸留水を工程（d）の混合物に添加し、全混合物を十分に混合し、次いで
（f）塩化ベンザルコニウムを０．１〜０．５％の濃度で工程（e）の混合物に添加し、全混合物を十分に混合することによって消毒用組成物を得る。
【請求項６】
ミドリハッカのビリジス変種植物の精油を、クレヴェンジャー装置を用いる水素化蒸留によって該植物の葉から入手する請求項５記載の製法。
【請求項７】
メントールと酢酸メンチルの混合物を、メントールと酢酸メンチルとを４０：６０（ｗ／ｖ）の割合で混合して調製する請求項５記載の製法。
【請求項８】
メントールをハッカ属アルヴェンシス植物から単離された精油の−６０℃での結晶化によって入手する請求項６記載の製法。
【請求項９】
メントールをメントールと酢酸の直接的エステル化または共沸エステル化によって入手する請求項６記載の製法。
【請求項１０】
請求項３記載の床のような表面の洗浄消毒用組成物の製法であって、下記の工程を含む該製法：
（a）ミドリハッカのビリジス変種植物の精油を０．０１〜０．０５％の濃度で供給し、
（b）シトロネラ油を工程（a）の精油に０．００５〜０．５％の濃度で添加して両成分を十分に混合し、
（c）２−エトキシエタノールを工程（b）の混合物に０．０５〜１％の濃度で添加してこれらの成分を十分に混合し、
（d）塩化ベンザルコニウムを工程（c）の混合物に０．０５〜５％の濃度で添加して全混合物を十分に混合し、
（e）水酸化ナトリウムを工程（d）の混合物に０．０００１〜０．２Ｎ％の濃度で添加して全混合物を十分に混合し、
（f）ラウリル硫酸ナトリウムを工程（e）の混合物に０．００１〜１％の濃度で添加して全混合物を十分に混合し、次いで
（g）蒸留水を工程（f）の混合物に添加し、全混合物を十分に混合することによって該表面の洗浄消毒用組成物を得る。
【請求項１１】
ミドリハッカのビリジス変種植物の精油を、クレヴェンジャー装置を用いる水素化蒸留によって該植物の葉から入手する請求項１０記載の製法。
【請求項１２】
シトロネラ油を、一般に「シトロネラ」またはシトロネラソウと呼ばれている植物の葉から入手する請求項１０記載の製法。
【請求項１３】
シトロネラ油をシトロネラソウ植物の水素化蒸留によって入手する請求項１０記載の製法。
【請求項１４】
請求項３記載の表面消毒用組成物の使用方法を柔軟な湿潤布片に適用し、該湿潤布片を汚染領域上に広げて５分間放置して効果的な消毒をおこなう請求項１０記載の製法。
【請求項１５】
請求項３記載の組成物を使用して効果的に洗浄に除染される表面がキッチンのプラットホーム、セラミック製タイル、大理石、キャビネットおよびテーブル等である請求項１０記載の製法。
【請求項１６】
請求項３記載の組成物が１Ｘ〜１００Ｘの範囲で使用される請求項１０記載の製法。
【請求項１７】
請求項１記載の組成物を数滴注ぎ出し、手全体にわたって３０秒間十分にすりこむ請求項５記載の製法。
【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
最高融解温度（Ｔｍ）ピークが１０９℃を超え、１０３Ｊ／ｇ以下の関連融解エンタルピー（ΔＨ）を有するＤＳＣダイアグラムで特徴付けられるＭｇＣｌ2・ｍＥｔＯＨ（ｍは、２．５〜３．２である）付加物。
【請求項２】
付加物の総重量の１重量％以下の水を含有する請求項１記載の付加物。
【請求項３】
最高融解温度（Ｔｍ）ピークに関連する融解エンタルピーは、１０２Ｊ／ｇ未満である請求項１記載の付加物。
【請求項４】
元素周期表のＩＶ〜ＶＩ族の遷移金属化合物と請求項１〜３のいずれか１項に記載の付加物とを反応させることにより得られる生成物からなるオレフィンの重合のための触媒成分。
【請求項５】
請求項４に記載の触媒成分とアルミニウムアルキル化合物とを接触させることにより得られる生成物からなるオレフィンの重合のための触媒。
【請求項６】
請求項５に記載の触媒の存在下で行う、式ＣＨ2＝ＣＨＲ（式中、Ｒは、水素又は炭素数１〜１２の炭化水素基である）のオレフィンの重合方法。